(57)【特許請求の範囲】
【請求項１】
自己融着テープをロール状に巻回し、中心穴が設けられたテープ巻体を保持する自己融着テープ巻付け工具であって、
前記テープ巻体の中心穴内に固定するように挿入され、一方の端面が前記テープ巻体の一方の側面から突出し、かつ、中心線に軸孔を形成したボス部を有する固定体と、該固定体の一方の端面に当接する環状の摩擦盤と、前記軸孔を貫通する中心軸を基盤に設け、前記固定体の一方の端面を前記摩擦盤に密着させる連結体とが備えられ、
前記固定体は、前記ボス部の一方の端面側に前記テープ巻体の一方の側面に当接する鍔部を設け、かつ、前記ボス部の他方の端面に固定孔を形成したブロック部と、前記ボス部の他方の端面及び前記テープ巻体の他方の側面と接合し、かつ、前記連結体の中心軸が貫通する連通孔及び前記固定孔に連続する小孔を形成した当接板と、前記小孔から固定孔に挿し込んで前記ブロック部と当接板とを一体化する固定軸とを備えていることを特徴とする自己融着テープ巻付け工具。
【請求項２】
前記連結体の中心軸に先端面から連結孔が形成され、
該連結孔に挿入される連結軸を基盤に設けた結合体が備えられていることを特徴とする請求項１に記載の自己融着テープ巻付け工具。
【請求項３】
前記固定体と結合体との間に介在し、前記結合体の連結軸が貫通する貫通穴を設け、前記掛止体の他端部を支持する第２の側板が備えられていることを特徴とする請求項２に記載の自己融着テープ巻付け工具。
【請求項４】
前記結合体には、連結軸を拡径した段差部が設けられ、
前記固定体の当接板には、前記段差部の厚さよりも浅い深さで該段差部を嵌め込む凹陥部が形成されていることを特徴とする請求項３に記載の自己融着テープ巻付け工具。
【請求項５】
自己融着テープをロール状に巻回し、中心穴が設けられたテープ巻体を保持する自己融着テープ巻付け工具であって、
前記テープ巻体の中心穴内に固定するように挿入され、一方の端面が前記テープ巻体の一方の側面から突出し、かつ、中心線に軸孔を形成したボス部を有する固定体と、該固定体の一方の端面に当接する環状の摩擦盤と、前記軸孔を貫通する中心軸を基盤に設け、前記固定体の一方の端面を前記摩擦盤に密着させる連結体とが備えられ、
前記摩擦盤と連結体の基盤との間に介在し、前記連結体の中心軸が貫通する貫通穴を設けた側板と、
該側板に取り付けられ、前記テープ巻体から繰り出された自己融着テープを引っ掛ける掛止体とが備えられていることを特徴とする自己融着テープ巻付け工具。
【請求項６】
自己融着テープをロール状に巻回し、中心穴が設けられたテープ巻体を保持する自己融着テープ巻付け工具であって、
前記テープ巻体の中心穴内に固定するように挿入され、一方の端面が前記テープ巻体の一方の側面から突出し、かつ、中心線に軸孔を形成したボス部を有する固定体と、該固定体の一方の端面に当接する環状の摩擦盤と、前記軸孔を貫通する中心軸を基盤に設け、前記固定体の一方の端面を前記摩擦盤に密着させる連結体とが備えられ、
前記連結体の中心軸に先端面から連結孔が形成され、
該連結孔に挿入される連結軸を基盤に設けた結合体が備えられていることを特徴とする自己融着テープ巻付け工具。
【請求項７】
自己融着テープをロール状に巻回し、中心穴が設けられたテープ巻体を保持する自己融着テープ巻付け工具であって、
前記テープ巻体の中心穴内に固定するように挿入され、一方の端面が前記テープ巻体の一方の側面から突出し、かつ、中心線に軸孔を形成したボス部を有する固定体と、該固定体の一方の端面に当接する環状の摩擦盤と、前記軸孔を貫通する中心軸を基盤に設け、前記固定体の一方の端面を前記摩擦盤に密着させる連結体とが備えられ、
前記固定体の一方の端面には、前記摩擦盤が突出するように嵌め込む環状溝が形成されていることを特徴とする自己融着テープ巻付け工具。
【発明の詳細な説明】
【技術分野】
【０００１】
本発明は、引っ張られることによって粘着力が発揮される自己融着テープを巻回したテープ巻体から繰り出して使用するための自己融着テープ巻付け工具に関し、特に、架空電線やスリーブカバーなどの被覆対象物に自己融着テープを巻き付けて貼着するための自己融着テープ巻付け工具に関する。
【背景技術】
【０００２】
近年使用されている自己融着テープは、ブチルゴムの表面に薄い皮膜が形成されることにより、セパレータがなくてもロール状に巻回された状態において貼着せず、繰り出して引っ張られることによって貼着力が発揮される。この自己融着テープは、絶縁性、防水性、耐久性などの特性が優れていることから、架空電線に巻き付けるものとしても使用されている。自己融着テープは、所期の状態に引っ張られることにより、粘着力が発揮される。
【０００３】
しかし、自己融着テープは、夏季と冬季、また巻回された状態から繰り出される始めと終わりとで性状が微妙に変化するため、所期の状態で引っ張ることが容易でなく、架空電線に巻きつけられた自己融着テープが絶縁性や防水性などの特性を十分に発揮することができない場合がある。そこで、自己融着テープを架空電線に巻き付けるに際して、自己融着テープに常に安定した一定のテンションを付与させつつ巻付け作業を迅速かつ確実に行えるようにした活線用テープ巻付け工具が特許文献１に開示されている。
【０００４】
この活線用テープ巻付け工具は、絶縁操作棒により回転作動自在とされた電線挿入用開口部付き中空回転体と、この中空回転体の先端に取付け板を介して設けられたテープ装着軸及びガイドローラと、このガイドローラに揺動アームを介して揺動自在に付設されたフリクションローラを備えている。さらに、前記揺動アームは、所要のネジ孔に螺合されたほぼボルト状の制御軸を介して揺動制御されるとともに、その揺動レベルが調整自在とされ、かつ、制御軸には揺動アームの自由端をガイドローラ方向に付勢させる付勢バネが設けられている。
【０００５】
この活線用テープ巻付け工具は、ネジ孔に対する制御軸のねじ込み量を調節して揺動アームの揺動レベルを調整し、フリクションローラをガイドローラ方向に付勢させて自己融着テープにバックテンションを付与させる。そして、中空回転体の回転作動により、テープ装着軸より自己融着テープを順次巻き戻してフリクションローラによりバックテンションを付与させつつ、自己融着テープを半幅重ね巻き状に巻付け作業を行う。
【０００６】
【特許文献１】特開平９−１４９５２２号公報
【発明の開示】
【発明が解決しようとする課題】
【０００７】
特許文献１に開示された活線用テープ巻付け工具は、中空回転体が専用の絶縁操作棒に取り付けられ、遠隔操作される。しかし、この活線用テープ巻付け工具は、中空回転体、テープ装着軸、ガイドローラ、フリクションローラ、制御軸、揺動アームそして付勢バネという部品が備えられて重量化しているため、遠隔操作しにくいものとなっている。また、絶縁操作棒は汎用品でなく専用品を使用することから、現場には複数の絶縁操作棒を携行しなければならなず、作業者の負担が増加する。
【０００８】
また、特許文献１に開示された活線用テープ巻付け工具は、付勢バネによって揺動アームの自由端をガイドローラ方向に付勢させることにより、フリクションローラをガイドローラの方向に付勢させて自己融着テープに適正なバックテンションを付与している。バックテンションの強さは、外気温などの変化に対応して調整可能とされている。
【０００９】
しかし、自己融着テープは、フリクションローラとガイドローラとに挟まれてバックテンションが付与されるため、表面が損傷し、貼着状態に影響することもありえる。特に、セパレータのない自己融着テープは、フリクションローラとガイドローラとに挟まれるため、ブチルゴムの表面に形成された皮膜が破れず、ブチルゴムの表面が現れないで、貼着力が低下する虞がある。
【００１０】
そこで、本発明は、部品点数が少なく、また、自己融着テープに影響を及ぼすことなく適切に所定のテンションを加えることができるようにした自己融着テープ巻付け工具を提供することを課題とする。
【課題を解決するための手段】
【００１１】
本発明に係る自己融着テープ巻付け工具は、自己融着テープをロール状に巻回し、中心穴が設けられたテープ巻体を保持する自己融着テープ巻付け工具であって、前記テープ巻体の中心穴内に固定するように挿入され、一方の端面が前記テープ巻体の一方の側面から突出し、かつ、中心線に軸孔を形成したボス部を有する固定体と、該固定体の一方の端面に当接する環状の摩擦盤と、前記軸孔を貫通する中心軸を基盤に設け、前記固定体の一方の端面を前記摩擦盤に密着させる連結体とが備えられ、前記固定体は、前記ボス部の一方の端面側に前記テープ巻体の一方の側面に当接する鍔部を設け、かつ、前記ボス部の他方の端面に固定孔を形成したブロック部と、前記ボス部の他方の端面及び前記テープ巻体の他方の側面と接合し、かつ、前記連結体の中心軸が貫通する連通孔及び前記固定孔に連続する小孔を形成した当接板と、前記小孔から固定孔に挿し込んで前記ブロック部と当接板とを一体化する固定軸とを備えていることを特徴としている。
【００１２】
この自己融着テープ巻付け工具によれば、固定体のボス部がテープ巻体の中心穴内に挿入されることにより、固定体とテープ巻体とが一体となる。そして、固定体のボス部及びテープ巻体の中心穴が回転軸となり、固定体とテープ巻体とが周方向に回転しながら自己融着テープがテープ巻体から繰り出される。自己融着テープの先端部が被覆対象物に貼着された状態で、この自己融着テープ巻付け工具を引っ張ると、自己融着テープは、固定体と連結体の基盤とに挟まれた環状の摩擦盤の摩擦力によって、テンションが掛けられながら繰り出される。この自己融着テープは、気温差やテープ巻体からの繰出し初めと終わりとに係わりなく、所期の状態に引っ張られ、重ね合わされることにより、絶縁性、防水性、耐久性などの特性が十分に発揮されるように貼着される。
【００１４】
そして、この自己融着テープ巻付け工具が、固定体がブロック部と当接板と固定軸とを備え、ブロック部の鍔部と当接板とがテープ巻体を挟み、ブロック部のボス部の他方の端面に形成された固定孔と当接板に形成された小孔とに固定軸が挿し込まれることにより、ブロック部と当接板とが一体化されるだけでなく、ブロック部に設けられた鍔部と当接板とがテープ巻体を挟み、固定体とテープ巻体とが滑ることなく一体に回転するようにすることができる。
【００１７】
また、前記本発明に係る自己融着テープ巻付け工具において、前記連結体の中心軸に先端面から連結孔が形成され、該連結孔に挿入される連結軸を基盤に設けた結合体が備えられていることが好ましい。
【００１８】
この自己融着テープ巻付け工具によれば、結合体の基盤に設けられた連結軸が連結体の中心軸に形成された連結孔に挿入され、この挿入量を加減することにより、固定体と摩擦盤との摩擦状態及び摩擦盤と連結板の基盤又は側盤との摩擦状態を調整することができる。
【００１９】
また、前記本発明に係る自己融着テープ巻付け工具において、前記固定体と結合体との間に介在し、前記結合体の連結軸が貫通する貫通穴を設け、前記掛止体の他端部を支持する第２の側板が備えられていることが好ましい。
【００２０】
この自己融着テープ巻付け工具によれば、テープ巻体及び固定体が２枚の側板に挟まれる状態となって保護される。また、掛止体は２枚の側板に架設される状態となって、外れたり変形したりしにくいようにすることができる。
【００２１】
また、前記本発明に係る自己融着テープ巻付け工具において、前記結合体には、連結軸を拡径した段差部が設けられ、前記固定体の当接板には、前記段差部の厚さよりも浅い深さで該段差部を嵌め込む凹陥部が形成されていることが好ましい。
【００２２】
この自己融着テープ巻付け工具によれば、結合体に設けられた段差部が固定体の当接板に設けられた凹陥部内に嵌め込まれる。凹陥部が段差部の厚さよりも浅い深さで形成されていることにより、当接板と第２の側板との間に隙間が生じ、当接板と第２の側板との間では摩擦が生じず、摩擦盤の摩擦力によってのみ自己融着テープに所期のテンションが加えられるようにすることができる。
【００２３】
また、前記と異なる本発明に係る自己融着テープ巻付け工具は、自己融着テープをロール状に巻回し、中心穴が設けられたテープ巻体を保持する自己融着テープ巻付け工具であって、前記テープ巻体の中心穴内に固定するように挿入され、一方の端面が前記テープ巻体の一方の側面から突出し、かつ、中心線に軸孔を形成したボス部を有する固定体と、該固定体の一方の端面に当接する環状の摩擦盤と、前記軸孔を貫通する中心軸を基盤に設け、前記固定体の一方の端面を前記摩擦盤に密着させる連結体とが備えられ、前記摩擦盤と連結体の基盤との間に介在し、前記連結体の中心軸が貫通する貫通穴を設けた側板と、該側板に取り付けられ、前記テープ巻体から繰り出された自己融着テープを引っ掛ける掛止体とが備えられていることを特徴としている。
この自己融着テープ巻付け工具によれば、摩擦盤と連結体の基盤との間に側板が介在し、この側板に掛止体が備えられていることにより、この自己融着テープ巻付け工具を絶縁操作棒などによって引っ張るなどの遠隔操作して、自己融着テープの先端部が被覆対象物に貼着されてから落下する状態とされても、自己融着テープは掛止体に引っ掛けられて停止する。なお、摩擦盤は、側板と固定体とに挟まれて摩擦力が生ずる。
また、前記とさらに異なる本発明に係る自己融着テープ巻付け工具は、自己融着テープをロール状に巻回し、中心穴が設けられたテープ巻体を保持する自己融着テープ巻付け工具であって、前記テープ巻体の中心穴内に固定するように挿入され、一方の端面が前記テープ巻体の一方の側面から突出し、かつ、中心線に軸孔を形成したボス部を有する固定体と、該固定体の一方の端面に当接する環状の摩擦盤と、前記軸孔を貫通する中心軸を基盤に設け、前記固定体の一方の端面を前記摩擦盤に密着させる連結体とが備えられ、前記連結体の中心軸に先端面から連結孔が形成され、該連結孔に挿入される連結軸を基盤に設けた結合体が備えられていることを特徴としている。
【００２４】
また、前記とさらに異なる本発明に係る自己融着テープ巻付け工具は、自己融着テープをロール状に巻回し、中心穴が設けられたテープ巻体を保持する自己融着テープ巻付け工具であって、前記テープ巻体の中心穴内に固定するように挿入され、一方の端面が前記テープ巻体の一方の側面から突出し、かつ、中心線に軸孔を形成したボス部を有する固定体と、該固定体の一方の端面に当接する環状の摩擦盤と、前記軸孔を貫通する中心軸を基盤に設け、前記固定体の一方の端面を前記摩擦盤に密着させる連結体とが備えられ、前記固定体の一方の端面には、前記摩擦盤が突出するように嵌め込む環状溝が形成されていることを特徴としている。
この自己融着テープ巻付け工具によれば、固定体の一方の端面に環状溝が形成され、この環状溝内に摩擦盤が嵌め込まれることにより、摩擦盤が位置ずれしないようにすることができる。また、摩擦盤は、環状溝から突出するため、摩擦盤と連結体又は側板とが当接し、摩擦盤が所期の摩擦力を発揮するようにすることができる。
【発明の効果】
【００２５】
本発明によれば、固定体と連結体の基盤又は側板とに挟まれた摩擦盤の摩擦力により、テープ巻体から繰り出された自己融着テープには、所期のテンションが掛けられて引っ張られ、重ね合わされることによって、絶縁性、防水性、耐久性などの特性が十分に発揮されるように貼着することができる。したがって、この自己融着テープ巻付け工具によって巻きつけられた被覆対象物は、補修などのメンテナンスの負担を軽減することができる。
【発明を実施するための最良の形態】
【００２６】
本発明に係る自己融着テープ巻付け工具（以下、「巻付け工具」という。）の一実施形態について図１ないし図４を参照しながら説明する。この巻付け工具は、自己融着テープ１０１をロール状に巻回し、中心穴１０２が設けられたテープ巻体１００を保持する。中心穴１０２は、一般的に別体の円筒状の芯１０３によって設けられるが、中心部分に自己融着テープ１０１を巻き付けないようにして設けることもできる。そして、この巻付け工具には、固定体１０、摩擦盤２０、連結体３０、結合体４０、側板（以下、「第１の側板」という。）５０、第２の側板６０、そして掛止体７０が備えられている。
【００２７】
固定体１０は、図２に示すようにブロック部１１と当接板１２と固定軸１３とが組み合わされる。ブロック部１１は、テープ巻体１００の中心穴１０２内に挿入されるボス部１１ａと、テープ巻体１００の一方の側面１００ａに接合するように、このボス部１１ａの一端側に設けた鍔部１１ｂとを例えばＡＢＳ樹脂によって一体成形したもので、中心線に軸孔１１ｃが貫通して設けられている。ボス部１１ａの長さは、テープ巻体１００の幅、すなわち中心穴１０２の長さと同じとされ、ボス部１１ａの先端面がテープ巻体１００の他方の側面１００ｂと同一面に露出する。
【００２８】
このボス部１１ａの先端面には、前記軸孔１１ｃを拡径した係合凹部１１ｄと、この係合凹部１１ｄの周囲に２か所以上、好ましくは４か所に設けた固定孔１１ｅが形成されている。固定孔１１ｅには、好ましくは雌ネジが形成されているが、雌ネジを形成していないものとしてもよい。また、固定体１０の一方の端面には、環状溝１１ｆが形成されている。
【００２９】
そして、当接板１２は、テープ巻体１００の他方の側面１００ｂに当接し、前記ブロック部１１の鍔部１１ｂと同じ外径の円盤形状で、例えばＡＢＳ樹脂によって形成されている。この当接板１２の中心には、前記軸孔１１ｃと同じ内径で連通する連通孔１２ｃが設けられている。また、当接板１２がテープ巻体１００と対向する一方の面には、前記ブロック部１１の係合凹部１１ｄに嵌入する扁平円筒状の係合凸部１２ｄが連通孔１２ｃに連続して設けられている。
【００３０】
また、当接板１２には、前記ブロック部１１の固定孔１１ｅに連通する小孔１２ｅが設けられている。この小孔１２ｅは、当接板１２の他方の面側が皿穴に形成されている。さらに、当接板１２の他方の面には、連通孔１２ｃを拡径する環状の凹陥部１２ｆが形成されている。
【００３１】
そして、固定軸１３は、前記当接板１２の小孔１２ｅから前記ブロック部１１の固定孔１１ｅに挿し込んで、当接板１２とブロック部１１とを一体化する。この固定軸１３は、ブロック部１１の固定孔１１ｅが雌ネジを形成したものであると、皿ネジが使用される。皿ネジの頭部が当接板１２の小孔１２ｅの皿穴に嵌ることにより、固定軸１３の頭部が当接板１２の他方の面と同一面とされる。また、固定軸１３として皿ネジを使用することにより、固定軸１３をブロック部１１から容易に外すことができ、固定体１０の組立て及び分離の作業を軽減することができる。
【００３２】
また、ブロック部１１の固定孔１１ｅに雌ネジが形成されていない場合は、固定軸１３はピンが使用され、又はブロック部１１が軟質の樹脂で成形されていると、固定軸１３として雄ネジを使用し、この雄ネジによって固定孔１１ｅに雌ネジを形成するようにしてもよい。さらに、固定軸１３として皿ネジ以外の小ネジを使用し、当接板１２の他方の面に座ぐりを形成してもよい。
【００３３】
そして、摩擦盤２０は、前記環状溝１１ｆに嵌め込まれる環状の部材で、ゴムなどによって成形されている。また、摩擦盤２０の厚さは、環状溝１１ｆの深さよりも厚く、一端面が固定体１０から突出するようにされている。なお、固定体１０のボス部１１ａには、環状溝１１ｆに替えて、摩擦盤２０を支持する複数の突起（図示せず）を摩擦盤２０の厚さよりも低い高さで設けてもよいし、環状溝１１ｆも突起も設けないで摩擦盤２０を接合してもよい。
【００３４】
そして、連結体３０は、前記固定体１０の軸孔１１ｃを貫通する中心軸３１を基盤３２に垂直に設けたもので、例えばＡＢＳ樹脂によって成形される。この中心軸３１には、先端面から連結孔３１ａが形成されている。この連結孔３１ａには、好ましくは雌ネジが形成されているが、雌ネジを形成していないものとしてもよい。また、連結体３０の基盤３２の外側面には、絶縁操作棒（図示せず）の先端部が取り付けられる凹んだ被取付部３２ａが設けられている。
【００３５】
そして、結合体４０は、前記当接板１２の他方の面側に配置され、前記連結体３０の中心軸３１に形成された連結孔３１ａに挿入される連結軸４１を基盤４２に垂直に設けたもので、ＡＢＳ樹脂などによって成形される。連結孔３１ａに雌ネジが形成されているときは、連結軸４１には、当然、雄ネジが形成される。また、連結孔３１ａに雌ネジが形成されていないときは、連結軸４１には雄ネジは形成されない。
【００３６】
さらに、結合体４０には、連結軸４１の根元部を拡径して、前記当接板１２に形成された凹陥部１２ｆに嵌め込まれる段差部４３が設けられている。この段差部４３は、凹陥部１２ｆの深さよりも厚くされることにより、換言すれば、凹陥部１２ｆの深さが段差部４３の厚さよりも浅く形成されることにより、当接板１２と結合体４０の基盤４２との間に間隔が空くようにされている。また、結合体４０の基盤４２の外側面には、絶縁操作棒の先端部が取り付けられる凹んだ被取付部４２ａが設けられている。
【００３７】
そして、第１の側板５０は、前記摩擦盤２０と連結体３０の基盤３２との間に配置されるステンレス鋼板であり、前記連結体３０の中心軸３１が貫通する貫通穴５１が設けられている。また、第２の側板６０は、前記固定体１０の当接板１２と結合体４０との間に配置されるステンレス鋼板であり、前記結合体４０の段差部４３が貫通する貫通穴６１が設けられている。そして、第１、第２の側板５０，６０には、円盤状の本体部から径方向に突出した突出部５２，６２が設けられている。この両突出部５２，６２には掛止体７０を取り付ける小孔５２ａ，６２ａが設けられている。
【００３８】
そして、掛止体７０は、例えば、両端が前記第１、第２の側板５０，６０の小孔５２ａ，６２ａ内に係止されるロッド７１と、このロッド７１を外嵌するローラ７２が備えられている。また、ロッド７１は、一端部に拡径した頭部７１ａが設けられ、少なくとも他端部にネジ部が設けられ、この他端部が例えば第２の側板６０から突出し、蝶ネジその他のナット７３で固定される。なお、巻付け工具の掛止体７０は、ローラ７２を備えたものでなく、単なる円柱状や角柱状などのロッドであってもよい。
【００３９】
以上のように構成された巻付け工具は、固定体１０のブロック部１１のボス部１１ａがテープ巻体１００の中心穴１０２内に挿入され、固定体１０のブロック部１１の鍔部１１ｂと当接板１２とがテープ巻体１００を挟み、固定軸１３が当接板１２の小孔１２ｅからボス部１１ａの固定孔１１ｅ内に挿入されて固定されることにより、テープ巻体１００と固定体１０とが一体化される。また、当接板１２の係合凸部１２ｄがブロック部１１の係合凹部１１ｄに嵌入することにより、固定軸１３を締め付けすぎたとしても、当接板１２とブロック部１１の鍔部１１ｂとがテープ巻体１００を圧潰することがないようにされている。
【００４０】
そして、摩擦盤２０が固定体１０のブロック部１１の環状溝１１ｆ内に嵌められる。この摩擦盤２０の表面は、環状溝１１ｆからわずかに突出している。
【００４１】
そして、第１の側板５０と第２の側板６０が前記固定体１０の鍔部１１ｂ及び摩擦盤２０と当接板１２とを挟む状態とされ、連結体３０の中心軸３１が第１の側板５０の貫通穴５１、摩擦盤２０の中心、固定体１０のブロック部１１の軸孔１１ｃ及び当接板１２の連通孔１２ｃ内に挿入され、他方、結合体４０の連結軸４１が前記連結体３０の中心軸３１に形成された連結孔３１ａ内に挿入されることにより、連結体３０と結合体４０とが一体化される。
【００４２】
結合体４０の連結軸４１が連結体３０の連結孔３１ａ内に浅く挿入されると、摩擦盤２０による固定体１０と第１の側板５０との摩擦力が小さくなる。逆に、前記結合体４０の連結軸４１が連結体３０の連結孔３１ａ内に深く挿入されると、摩擦盤２０による固定体１０と第１の側板５０との摩擦力が大きくなる。このようにして、結合体４０の連結軸４１を連結体３０の連結孔３１ａに挿入する加減を調整することにより、摩擦盤２０による摩擦力を変更することができる。したがって、連結体３０、結合体４０及び固定体１０の鍔部１１ｂ、当接板１２の各周面に目盛り（図示せず）を付けることにより、誰でもが最適の摩擦力を設定することができるようにしてもよい。なお、この連結孔３１ａが雌ネジによって形成され、連結軸４１が雄ネジによって形成されることにより、連結軸４１を連結孔３１ａに挿し込む加減を微調整し、位置ずれしないようにすることができる。
【００４３】
また、結合体４０の段差部４３が固定体１０の当接板１２の凹陥部１２ｆに嵌められ、結合体４０の基盤４２と固定体１０の当接板１２との間に間隔が空けられることにより、第２の側板６０は、固定体１０の当接板１２及び結合体４０の基盤４２と密着せず、摩擦力が働かないようにされている。
【００４４】
このようにしてテープ巻体１００は、図３に示すように巻付け工具に保持され、自己融着テープ１０１が繰り出される。この巻付け工具を使用するには、図１に示すように繰り出された自己融着テープ１０１の先端部を架空電線などの被覆対象物Ａに貼着し、巻付け工具を下方に引き下げる。被覆対象物Ａが架空電線のような高所にあると、巻付け工具の連結体３０及び結合体４０の各被取付部３２ａ，４２ａに絶縁操作棒の先端部を取り付けて操作する。すなわち、絶縁操作棒を引っ張ることにより、巻付け工具が下方に引き下げられると、テープ巻体１００と固定体１０とが回転しながら自己融着テープ１０１が繰り出される。この自己融着テープ１０１は、掛止体７０から反力を受ける、換言すれば、掛止体７０は、自己融着テープ１０１に対してストッパとして作用し、自己融着テープ１０１は一定量繰り出されて停止する。
【００４５】
そして、固定体１０の環状溝１１ｆ内に摩擦盤２０が嵌め込まれ、この摩擦盤２０が第１の側板５０に当接していることから、摩擦盤２０と第１の側板５０とに摩擦力が加えられ、自己融着テープ１０１は所期のテンションが掛けられながら引っ張られて停止する。この自己融着テープ１０１は、被覆対象物Ａに貼着された先端部と巻付け工具との間で所期のテンションが加えられ、図４に示すように半幅重ね巻きとされると、絶縁性、防水性、耐久性などの特性が発揮されるように貼着される。また、テープ巻体１００の自己融着テープ１０１が使い切られると、この巻付け工具を分解し、新しいテープ巻体１００を前記にように取り付けて、使用する。
【００４６】
なお、本発明は、前記実施形態に限定することなく特許請求の範囲に記載した技術的事項の範囲内置いて種々変更することができる。例えば、この巻付け工具は、絶縁操作棒を使用しないで手元で操作することができ、この場合は、ストッパとして作用させる掛止具７０を備えなくてもよい。この場合は、第１、第２の側板５０，６０は省略することができる。このときの摩擦盤２０は、連結体３０の基盤３２との間で摩擦力が生じる。
【００４７】
また、巻付け工具は、図５に示すように、結合体４０及び第２の側板６０を省略することができる。この場合の巻付け工具は、摩擦盤２０が所定の摩擦力を生じるように、連結体３０の先端部に膨出部３３が設けられている。
【００４８】
また、巻付け工具は、図６に示すように、結合体４０、第２の側板６０及び固定体１０の当接板１２を省略することができる。この場合の巻付け工具は、固定体１０のボス部１１ａがテープ巻体１００の中心穴１０２の内径よりもわずかに大きな外径として、テープ巻体１００が固定体１０から脱抜しないようにするとともに摩擦盤２０が所定の摩擦力を生じるように連結体３０の先端部に膨出部３３が設けられている。そして、図５及び図６に示す巻付け工具の掛止体７０は、先端部に鍔７４を取り付けて融着テープがローラ７２から外れないようにされる。
【００４９】
さらに、この巻付け工具は、架空電線やスリーブカバーを被覆するだけでなく、自己融着テープ１０１が巻き付けられるゴルフのグリップやアイスホッケーのスティックなど様々な分野でも使用することができる。
【図面の簡単な説明】
【００５０】
【図１】本発明に係る自己融着テープの巻付け工具の第１の実施形態であって、（ａ）は正面図、（ｂ）は側面図である。
【図２】本発明に係る自己融着テープの巻付け工具の第１の実施形態を示す分解断面側面図である。
【図３】本発明に係る自己融着テープの巻付け工具の第１の実施形態を示す斜視図である。
【図４】本発明に係る自己融着テープの巻付け工具の第１の実施形態であって、使用状態を示す斜視図である。
【図５】本発明に係る自己融着テープの巻付け工具の第２の実施形態を示す分解断面正面図である。
【図６】本発明に係る自己融着テープの巻付け工具の第３の実施形態を示す分解断面正面図である。
【符号の説明】
【００５１】
１０……固定体
１１……ブロック部
１１ａ…ボス部
１１ｂ…鍔部
１１ｃ…軸孔
１１ｅ…固定孔
１１ｆ…環状溝
１２……当接板
１２ｃ…連通孔
１２ｅ…小孔
１２ｆ…凹陥部
１３……固定軸
２０……摩擦盤
３０……連結体
３１……中心軸
３１ａ…連結孔
３２……基盤
４０……結合体
４１……連結軸
４２……基盤
４３……段差部
５０……側板（第１の側板）
５１……貫通穴
６０……第２の側板
６１……貫通穴
７０……掛止体
１００…テープ巻体
１００ａ…一方の側面
１００ｂ…他方の側面
１０１…自己融着テープ
１０２…中心穴
【図１】
0004879097.tif 000002
【図２】
0004879097.tif 000003
【図３】
0004879097.tif 000004
【図４】
0004879097.tif 000005
【図５】
0004879097.tif 000006
【図６】
0004879097.tif 000007